【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
無線ＬＡＮネットワークを経由してコンピュータと通信を行う携帯機器であって、
上記コンピュータのアドレスを含む情報を格納する格納手段と、
少なくとも上記アドレスを含む情報に基づいて第１の通信手順を用いて上記コンピュータ上の所定のアプリケーションの起動の要求を行う手段と、
上記起動の要求に応じて起動したアプリケーションによって開始される第２の通信手順を用いて上記コンピュータと通信を行う手段と、
を具備することを特徴とする携帯機器。
【請求項２】
上記コンピュータのアドレスを含む情報を、有線ケーブルを介して受信する手段を更に具備することを特徴とする請求項１に記載の携帯機器。
【請求項３】
上記第２の通信手順による上記コンピュータとの通信が終了した後、電源を自動的に切る手段を更に具備することを特徴とする請求項１に記載の携帯機器。
【請求項４】
上記第２の通信手順による上記コンピュータとの通信は、上記コンピュータから処理を終了する旨の通知を受信して終了することを特徴とする請求項１に記載の携帯機器。
【請求項５】
上記アプリケーションの起動の要求を行うより前に、上記アプリケーションを起動するために必要な、少なくとも携帯機器のアドレスを含む情報を、上記コンピュータに送信する手段を更に具備することを特徴とする請求項１に記載の携帯機器。
【請求項６】
上記第１の通信手順は、ＨＴＴＰ通信手順であり、前記第２の通信手順は、ＵＰｎＰ通信手順であることを特徴とする請求項１に記載の携帯機器。
【請求項７】
無線ＬＡＮネットワークを経由して携帯機器と通信を行うコンピュータであって、
上記携帯機器から第１の通信手順を用いて行われる上記コンピュータ上の所定のアプリケーションの起動の要求に応じて当該アプリケーションを起動する手段と、
上記起動したアプリケーションによって開始される第２の通信手順を用いて上記携帯機器と通信を行う手段と、
を具備することを特徴とするコンピュータ。
【請求項８】
無線ＬＡＮネットワークを経由して携帯機器とコンピュータとで通信を行う無線通信システムであって、
上記コンピュータのアドレスを含む情報を格納する格納手段と、
少なくとも上記アドレスを含む情報に基づいて第１の通信手順を用いて上記コンピュータ上の所定のアプリケーションの起動の要求を行う手段と、
上記起動の要求に応じて起動したアプリケーションによって開始される第２の通信手順を用いて上記コンピュータと通信を行う手段と、
を具備する携帯機器と、
上記携帯機器から上記第１の通信手順を用いて行われる上記アプリケーションの起動の要求に応じて当該アプリケーションを起動する手段と、
上記起動したアプリケーションによって開始される上記第２の通信手順を用いて上記携帯機器と通信を行う手段と、
を具備するコンピュータと、
を含むことを特徴とする無線通信システム。
【請求項９】
無線ＬＡＮネットワークを経由して携帯機器とコンピュータとで通信を行う無線通信システムの無線通信方法であって、
第１の通信手順を用いて上記コンピュータ上の所定のアプリケーションの起動の要求が上記携帯機器から上記コンピュータに送信されるステップと、
上記起動の要求に応じて起動したアプリケーションによって開始される第２の通信手順を用いて上記携帯機器と上記コンピュータとが通信を行うステップと、
を有する無線通信方法。
【手続補正２】
【補正対象書類名】明細書
【補正対象項目名】発明の名称
【補正方法】変更
【補正の内容】
【発明の名称】携帯機器、コンピュータ、無線通信システム、無線通信方法
【手続補正３】
【補正対象書類名】明細書
【補正対象項目名】０００１
【補正方法】変更
【補正の内容】
【０００１】
本発明は、携帯機器、コンピュータ、無線通信システム、無線通信方法に関するものである。
【手続補正４】
【補正対象書類名】明細書
【補正対象項目名】０００５
【補正方法】変更
【補正の内容】
【０００５】
本発明は、このような課題に着目してなされたものであり、その目的とするところは、予め携帯機器とコンピュータの間で通信設定をしておくにより、通信開始時にコンピュータ側で必要とされる処理量を低減し、かつ、携帯機器からコンピュータとの通信を起動することを可能にして携帯機器の省電力化を実現した携帯機器、コンピュータ、無線通信システム、無線通信方法を提供することにある。
【手続補正５】
【補正対象書類名】明細書
【補正対象項目名】０００６
【補正方法】変更
【補正の内容】
【０００６】
上記の目的を達成するために、本発明の第１の態様に係る携帯機器は、無線ＬＡＮネットワークを経由してコンピュータと通信を行う携帯機器であって、上記コンピュータのアドレスを含む情報を格納する格納手段と、少なくとも上記アドレスを含む情報に基づいて第１の通信手順を用いて上記コンピュータ上の所定のアプリケーションの起動の要求を行う手段と、上記起動の要求に応じて起動したアプリケーションによって開始される第２の通信手順を用いて上記コンピュータと通信を行う手段と、を具備する。
【手続補正６】
【補正対象書類名】明細書
【補正対象項目名】０００７
【補正方法】変更
【補正の内容】
【０００７】
また、本発明の第２の態様に係る携帯機器は、第１の態様に係る携帯機器において、上記コンピュータのアドレスを含む情報を、有線ケーブルを介して受信する手段を更に具備する。
【手続補正７】
【補正対象書類名】明細書
【補正対象項目名】０００８
【補正方法】変更
【補正の内容】
【０００８】
また、本発明の第３の態様に係る携帯機器は、第１の態様に係る携帯機器において、上記第２の通信手順による上記コンピュータとの通信が終了した後、電源を自動的に切る手段を更に具備する。
【手続補正８】
【補正対象書類名】明細書
【補正対象項目名】０００９
【補正方法】変更
【補正の内容】
【０００９】
また、本発明の第４の態様に係る携帯機器は、第１の態様に係る携帯機器において、上記第２の通信手順による上記コンピュータとの通信は、上記コンピュータから処理を終了する旨の通知を受信して終了する。
【手続補正９】
【補正対象書類名】明細書
【補正対象項目名】００１０
【補正方法】変更
【補正の内容】
【００１０】
また、本発明の第５の態様に係る携帯機器は、第１の態様に係る携帯機器において、上記アプリケーションの起動の要求を行うより前に、上記アプリケーションを起動するために必要な、少なくとも携帯機器のアドレスを含む情報を、上記コンピュータに送信する手段を更に具備する。
【手続補正１０】
【補正対象書類名】明細書
【補正対象項目名】００１１
【補正方法】変更
【補正の内容】
【００１１】
また、本発明の第６の態様に係る携帯機器は、第１の態様に係る携帯機器において、上記第１の通信手順は、ＨＴＴＰ通信手順であり、前記第２の通信手順は、ＵＰｎＰ通信手順である。
【手続補正１１】
【補正対象書類名】明細書
【補正対象項目名】００１２
【補正方法】変更
【補正の内容】
【００１２】
また、本発明の第７の態様に係るコンピュータは、無線ＬＡＮネットワークを経由して携帯機器と通信を行うコンピュータであって、上記携帯機器から第１の通信手順を用いて行われる上記コンピュータ上の所定のアプリケーションの起動の要求に応じて当該アプリケーションを起動する手段と、上記起動したアプリケーションによって開始される第２の通信手順を用いて上記携帯機器と通信を行う手段と、を具備する。
【手続補正１２】
【補正対象書類名】明細書
【補正対象項目名】００１３
【補正方法】変更
【補正の内容】
【００１３】
また、本発明の第８の態様に係るシステムは、無線ＬＡＮネットワークを経由して携帯機器とコンピュータとで通信を行う無線通信システムであって、上記コンピュータのアドレスを含む情報を格納する格納手段と、少なくとも上記アドレスを含む情報に基づいて第１の通信手順を用いて上記コンピュータ上の所定のアプリケーションの起動の要求を行う手段と、上記起動の要求に応じて起動したアプリケーションによって開始される第２の通信手順を用いて上記コンピュータと通信を行う手段と、を具備する携帯機器と、上記携帯機器から上記第１の通信手順を用いて行われる上記アプリケーションの起動の要求に応じて当該アプリケーションを起動する手段と、上記起動したアプリケーションによって開始される上記第２の通信手順を用いて上記携帯機器と通信を行う手段と、を具備するコンピュータと、を含む。
【手続補正１３】
【補正対象書類名】明細書
【補正対象項目名】００１４
【補正方法】変更
【補正の内容】
【００１４】
また、本発明の第９の態様に係る無線通信方法は、無線ＬＡＮネットワークを経由して携帯機器とコンピュータとで通信を行う無線通信システムの無線通信方法であって、第１の通信手順を用いて上記コンピュータ上の所定のアプリケーションの起動の要求が上記携帯機器から上記コンピュータに送信されるステップと、上記起動の要求に応じて起動したアプリケーションによって開始される第２の通信手順を用いて上記携帯機器と上記コンピュータとが通信を行うステップと、を有する。
【手続補正１４】
【補正対象書類名】明細書
【補正対象項目名】００１５
【補正方法】削除
【補正の内容】